(57)【要約】【課題】瓶などの容器に被せられるキャップであって、密封時の高密封性と、開封時の開封容易性とを兼備するとともに、容器にキャップを被せるときにおける破断などの不都合の発生を確実に防止することができる容器のキャップを得る。【解決手段】円形の頂壁１１と、この頂壁１１の周縁から垂下したスカート壁１２とを有する。スカート壁１２は、容器への装着時に容器によって拡径方向に弾性変形される。スカート壁１２の外面の下部における周方向の一部分に開閉用のつば部１８を有する。スカート壁１２の下端からこのスカート壁１２の軸心方向に沿って、他の部分よりも薄肉に形成された弱化部２１を有する。弱化部２１の下端側に、弱化部２１における他の部分よりも厚肉の補強部３４を有する。【選択図】図１
2014223933.tif 000002
【特許請求の範囲】
【請求項１】
瓶などの容器に被せられるキャップであって、円形の頂壁と、この頂壁の周縁から垂下したスカート壁とを有し、スカート壁はキャップを容器に被せるときに容器によって拡径方向に弾性変形されるものであり、スカート壁の外面の下部における周方向の一部分に開閉用のつば部を有し、スカート壁の下端からこのスカート壁の軸心方向に沿って他の部分よりも薄肉に形成された弱化部を有し、弱化部の下端側に、弱化部における他の部分よりも厚肉の補強部を有することを特徴とする容器のキャップ。
【請求項２】
スカート壁の内面に、キャップが容器に被せられたときに前記容器に形成された段部に掛かり合う突起を有し、スカート壁は、キャップが容器に被せられるときに突起が容器に押されることで、拡径方向に弾性変形されるものであることを特徴とする請求項１記載の容器のキャップ。
【請求項３】
弱化部はスカート壁に形成された溝により構成されており、厚肉補強部は、弱化部における他の部分よりも溝の底壁を厚く形成されたものであることを特徴とする請求項１または２記載の容器のキャップ。
【請求項４】
厚肉補強部は、スカート壁の下端側から順に、一定肉厚の部分と、上側に向かって徐々に肉厚が小さくなる傾斜部分とを有することを特徴とする請求項３記載の容器のキャップ。
【請求項５】
突起はスカート壁の周方向に沿って複数に分断されて形成されており、弱化部は、スカート壁の周方向に沿った突起が形成されていない部分に設けられていることを特徴とする請求項２から４までのいずれか１項記載の容器のキャップ。
【請求項６】
弱化部が形成された部分の近傍の突起は、それ以外の部分の突起よりも横断面が小さい形状であることを特徴とする請求項５記載の容器のキャップ。
【発明の詳細な説明】
【技術分野】
【０００１】
本発明は、牛乳瓶のキャップに代表される容器のキャップに関する。
【背景技術】
【０００２】
牛乳瓶などの広口の瓶に用いられるキャップは、合成樹脂などにより形成され、密封時における高密封性と開封時における開封容易性という二つの特性がともに求められる。このような要求に応えるために、たとえば特許文献１には、この種のキャップとして、頂壁と、頂壁の周縁から垂下したスカート壁とを有し、スカート壁の内周には瓶の開口縁の外周の段部に掛かる突起を有し、スカート壁の外面には手指で開封力を付与するためのつば部を有し、またスカート壁には細幅で薄肉の弱化部が形成されたものが記載されている。
【０００３】
このようなキャップであると、密封時は、突起が瓶の段部にしっかりと掛かり合うことで高密封性を確保することができる。開封時に、もし弱化部が存在しないと、開封強度が高く、開けづらい。しかし、弱化部が形成されているため、開封力が付与されることで弱化部が破断してキャップが径方向に拡開し、それにより開封強度が低下して突起と瓶の段部との掛かり合いを簡単に解除することができ、容易に開封することができる。また、弱化部が破断することで、開封時に手指に掛かっていた負荷が急激に低下するため、開封強度の低下を知覚することもできる。
【先行技術文献】
【特許文献】
【０００４】
【特許文献１】特開２０１１−２０１５５８号公報
【発明の概要】
【発明が解決しようとする課題】
【０００５】
この種のキャップでは、このキャップを瓶の開口縁に押し当てて被せるときに、突起が段部を通り過ぎたうえでこの段部に掛かることが必要となり、段部を通過するときには、スカート壁が径方向に弾性的に拡径することで、その通過が可能となる。通過後は、スカート壁が縮径して元の状態に戻ることで、突起が段部へ掛かる。
【０００６】
しかしながら特許文献１に記載のキャップでは、瓶にキャップを被せる工程における、キャップのスカート壁の拡径時に、薄肉の弱化部に応力が集中しやすい。そして、たとえば低温の環境でキャップを被せるときなどの、キャップの温度が低く、したがってキャップの樹脂が硬くなっているときには、きわめて稀にではあるが、弱化部が裂けてしまうことがある。すると、そのためにスカート壁が径方向に広がってしまって、突起の掛かりが緩まって瓶の密閉に支障をきたす恐れがある。また、弱化部が裂けた状態で供給されると、需要者は開封済の製品と誤認する恐れがある。よって、特許文献１に記載のキャップは、さらなる改善の余地がある。
【０００７】
そこで本発明は、このような課題を解決して、瓶などの容器に被せられるキャップであって、密封時の高密封性と、開封時の開封容易性とを兼備するとともに、容器にキャップを被せるときにおける破断などの不都合の発生を確実に防止することができるキャップを得ることを目的とする。
【課題を解決するための手段】
【０００８】
この目的を達成するために本発明の容器のキャップは、円形の頂壁と、この頂壁の周縁から垂下したスカート壁とを有し、スカート壁はキャップを容器に被せるときに容器によって拡径方向に弾性変形されるものであり、スカート壁の外面の下部における周方向の一部分に開閉用のつば部を有し、スカート壁の下端からこのスカート壁の軸心方向に沿って他の部分よりも薄肉に形成された弱化部を有し、弱化部の下端側に、弱化部における他の部分よりも厚肉の補強部を有するものである。
【０００９】
このような構成であると、厚肉補強部を有した構成であることにより、容器にキャップを被せるときに弱化部に破断などの不都合が発生することを確実に防止できる。なお、破断などの発生の防止性と開封容易性とを兼備させるためには、キャップを所定の弾性を有する合成樹脂などにより形成したうえで、弱化部や厚肉補強部の寸法を適宜に設定すればよい。
【００１０】
本発明の容器のキャップによれば、スカート壁の内面に、キャップが容器に被せられたときに前記容器に形成された段部に掛かり合う突起を有し、スカート壁は、キャップが容器に被せられるときに突起が容器に押されることで、拡径方向に弾性変形されるものであることが好適である。このような構成であると、キャップの装着時にスカート壁が弾性的に拡径され弱化部がスカート壁の周方向に伸びやすい構成であるにもかかわらず、厚肉補強部による補強効果を好ましく発揮することができる。
【００１１】
本発明の容器のキャップによれば、弱化部はスカート壁に形成された溝により構成されており、厚肉補強部は、弱化部における他の部分よりも溝の底壁を厚く形成されたものであることが好ましい。このような構成であると、弱化部の弱化性と厚肉補強部の補強性とをともに良好に発揮することができる。
【００１２】
本発明の容器のキャップによれば、厚肉補強部は、スカート壁の下端側から順に、一定肉厚の部分と、上側に向かって徐々に肉厚が小さくなる傾斜部分とを有することが好ましい。このような構成であると、キャップの装着時における補強効果を良好に発揮することができるうえに、開封時に弱化部をその長さ方向にわたって円滑に破断させることができる。
【００１３】
本発明の容器のキャップによれば、突起はスカート壁の周方向に沿って複数に分断されて形成されており、弱化部は、スカート壁の周方向に沿った突起が形成されていない部分に設けられていることが好ましい。このような構成であると、開封時には、突起が弱化部の破断の邪魔をせず、したがって円滑に破断させることができる。
【００１４】
本発明の容器のキャップによれば、弱化部が形成された部分の近傍の突起は、それ以外の部分の突起よりも横断面が小さい形状であることが好ましい。このような構成であると、突起が存在することによりキャップの装着時に弱化部に応力が集中して破断や亀裂が発生することを、好適に緩和することができるのみならず、開封時には弱化部を容易に破断させることができる。
【発明の効果】
【００１５】
本発明の容器のキャップによれば、密封時における従来のキャップと同等の高密封性を確保したうえで、容器にキャップを被せるときにおける破断などの不都合の発生を確実に防止することができ、しかも開封時の開封容易性も阻害することなく兼備することができる。
【図面の簡単な説明】
【００１６】
【図１】本発明の実施の形態の容器のキャップの立体図である。
【図２】同キャップの平面図である。
【図３】同キャップの底面図である。
【図４】同キャップにおける弱化部およびその近傍の立体断面図である。
【図５】同キャップが瓶に被せられた状態を示す断面図である。
【図６】弱化部およびその近傍の拡大立体図である。
【図７】弱化部の拡大断面図である。
【図８】弱化部の拡大底面図である。
【図９】瓶にキャップを被せるときの様子を示す図である。
【図１０】瓶を開封するときの様子を示す図である。
【発明を実施するための形態】
【００１７】
本発明の実施の形態の容器のキャップは、ポリエチレンなどの合成樹脂により形成され、図１〜図５に示されるように、所定の肉厚の円形の頂壁１１と、頂壁１１の周縁から垂下し所定の肉厚を有するスカート壁１２とが一体に形成されたものである。頂壁１１とスカート壁１２との連接部１３は、その断面が円弧形状となるように、すなわち丸みを帯びた形状となるように、形成されている。
【００１８】
図５はキャップが牛乳瓶などの広口の瓶１に被せられた状態を示す。図示のように、キャップの内面には、瓶１の上端開口部２の内部に挿入されるインナーリング１４と、瓶１の上端の外周に形成された段部３に掛かり合う突起１５とが一体に形成されている。
【００１９】
インナーリング１４の外周には、瓶１の上端開口部２の内周に弾性的に圧接する圧接突部１６が形成されている。突起１５は、図５および図３に示すように、キャップの周方向に沿って複数に分断された形態で形成されている。そして突起１５は、キャップの軸心の方向すなわちスカート壁１２の中心軸の方向に長く形成されかつキャップの径方向に大きく形成された大突起１５ａと、大突起１５ａに比べてキャップの軸心の方向に短く形成されかつキャップの径方向に小さく形成されることで大突起１５ａよりも小さな横断面で形成された小突起１５ｂと、大突起１５ａに相当するサイズの部分１５ｄと小突起１５ｂに相当するサイズの部分１５ｅとがキャップの周方向に連続して形成された異形突起１５ｃとを有する。
【００２０】
インナーリング１４とスカート壁１２との間における頂壁１１の内面には、環状突部１７が一体に形成されている。この環状突部１７は、突起１５（１５ａ、１５ｂ、１５ｃ）が瓶１の段部３に掛かり合ったときに、瓶１の開口部２の周囲の上端面４に弾性的に圧接するように構成されている。
【００２１】
すなわち、図５に示すようにキャップが瓶１に被せられたときには、インナーリング１４の圧接突部１６が瓶１の上端開口部２の内周に弾性的に圧接するとともに、突起１５（１５ａ、１５ｂ、１５ｃ）が瓶１の段部３に掛かり合ったときに環状突部１７が瓶１の上端面４に弾性的に圧接することで、瓶１の開口部２の密封が確実に行われる。
【００２２】
スカート壁１２の外周の一部分における下端部には、開封用のつば部１８が一体に形成されている。開封用のつば部１８の上面とスカート壁１２の外面との間には、周方向に複数のリブ１９が一体に形成されている。
【００２３】
図２および図３に示すように、スカート壁１２における開封用つば部１８の中心部２０からキャップの周方向に沿って時計方向および反時計方向に９０度の距離をおいた位置には、それぞれ弱化部２１、２１が、キャップの軸心方向に沿って形成されている。すなわち、一対の弱化部２１、２１どうしが、キャップの周方向に沿って互いに１８０度離れた位置にそれぞれ形成されている。
【００２４】
一方、前述の突起１５（１５ａ、１５ｂ、１５ｃ）は、詳細には、次のように形成されている。すなわち、異形突起１５ｃは、図３に詳しく示すように一対が形成されて、小突起１５ｂに相当するサイズの部分１５ｅが、キャップの周方向に沿った開封用つば部１８の端部と重なる位置に形成されるとともに、大突起１５ａに相当するサイズの部分１５ｄが、キャップの周方向に沿った開封用つば部１８とは重ならない位置に形成されている。小突起１５ｂは、各弱化部２１に対応して、それぞれ一対が形成されている。すなわち、弱化部２１は、スカート壁１２における、キャップの周方向に沿った一対の小突起１５ｂ、１５ｂどうしの間におけるこれら小突起１５ｂ、１５ｂが形成されていない部分２２の外面に形成されている。大突起１５ａは、スカート壁１２における、キャップの周方向に沿った、つば部１８が形成された部分とは反対側の部分に形成されている。すなわち、大突起１５ａは、スカート壁１２において、つば部１８からキャップの周方向に沿って小突起１５ｂよりも離れた位置に形成されている。図示の例では、キャップの周方向に沿った４箇所の位置に、それぞれ大突起１５ａが形成されている。
【００２５】
図１、図４、図５に詳しく示すように、スカート壁１２の外周の下端における、つば部１８が形成された部分以外の部分には、キャップの径方向に沿った外向きに突出する厚肉部２３が形成されている。
【００２６】
スカート壁１２の周方向に沿った複数の位置には、外面が凹形状の薄肉部２５が形成されている。詳細には、図１に詳しく示すように、つば部１８に対応した位置に薄肉部２５ａが形成されている。この薄肉部２５ａは、スカート壁１２の周方向に沿って、一方の異形突起１５ｃの大突起に相当するサイズの部分１５ｄから、他方の異形突起１５ｃの大突起に相当するサイズの部分１５ｄにわたる広い範囲に形成されている。つまり、薄肉部２５ａは、スカート壁１２の周方向に沿った、つば部１８が形成されている全範囲と、つば部１８から各異形突起１５ｃの大突起に相当するサイズの部分１５ｄまでの範囲とにわたって形成されている。
【００２７】
スカート壁１２の周方向に沿った弱化部２１が形成されている部分にも、薄肉部２５ｂが形成されている。すなわち薄肉部２５ｂは、弱化部２１を間に挟んだ一方の小突起１５ｂから他方の小突起１５ｂにわたる範囲に形成されている。
【００２８】
さらに、スカート壁１２の周方向に沿った各大突起１５ａが形成されている部分にも、それぞれ薄肉部２５ｃが形成されている。この薄肉部２５ｃは、スカート壁１２の周方向に沿った、各大突起１５ａの形成範囲よりも狭い範囲に形成されている。すなわち、スカート壁１２の周方向に沿った大突起１５ａの一端部および他端部は、いずれも薄肉部２５ｃよりもスカート壁１２の周方向に突出している。
【００２９】
図１および図４に詳細に示されるように、薄肉部２５（２５ａ、２５ｂ、２５ｃ）は、キャップの軸心方向に沿って、厚肉部２３の上端の位置から連接部１３に到達する位置にわたって形成されている。薄肉部２５（２５ａ、２５ｂ、２５ｃ）と厚肉部２３との境界の部分には、薄肉部２５（２５ａ、２５ｂ、２５ｃ）から厚肉部２３に向けて徐々に厚肉となるように傾斜面２６が形成されている。
【００３０】
スカート壁１２の周方向に沿った薄肉部２５（２５ａ、２５ｂ、２５ｃ）の端部２７は、キャップの軸心方向に沿った直線状に形成されている。スカート壁１２の周方向に沿った薄肉部２５（２５ａ、２５ｂ、２５ｃ）が形成されていない部分は、標準肉厚部２８として形成されている。
【００３１】
なお、厚肉部２３および薄肉部２５は必須のものではなく、場合によってはこれら厚肉部２３および薄肉部２５のいずれか一方または両方を形成しない構成とすることもできる。
【００３２】
弱化部２１について詳細に説明する。図１〜図８に示すように、弱化部２１は横断面Ｖ字形の溝によって形成されており、図７に詳細に示すように、その溝底部を構成する底壁３１、すなわちスカート壁１２における底壁３１の部分が、薄肉部２５ｂよりもさらに薄く形成されることで、キャップの軸心方向に裂けやすいように構成されている。この溝構造の弱化部２１は、キャップの軸心方向に沿って、スカート壁１２の下端から連接部１３にいたる範囲にわたって形成されている。
【００３３】
たとえばキャップの径が４５ｍｍ程度でありかつスカート壁１２の標準肉厚部２８の厚みが０．８５ｍｍ程度であるときに、薄肉部２５（２５ｂ）の厚みは０．６５ｍｍ程度が好適であり、図７において「Ａ」で表されるところの底壁３１の厚みは０．２５ｍｍ程度が好適である。薄肉部２５からの厚肉部２３の外周面２４の突出量は０．３ｍｍ程度、底壁３１の外面からの厚肉部２３の外周面２４の突出量は０．５ｍｍ程度である。スカート壁１２の下端から厚肉部２３の外周面２４の上端までの寸法、すなわち、スカート壁１２の下端から、厚肉部２３の外周面２４と傾斜面２６との境界部までの寸法は、１．０ｍｍ程度である。キャップの軸心に対する傾斜面２６の傾斜角度は、たとえば３０度とすることができる。溝のＶ字の開きの角度は、８０度くらいが好適である。図７に詳しく示すように、スカート壁１２の内周面３２はキャップの軸心の方向すなわちストレートに形成された面であるが、スカート壁１２の外周面３３は、標準肉厚部２８および薄肉部２５とも、スカート壁１２の下端部から頂壁１１に向かうにつれて徐々に縮径するテーパ状に形成されている。これに対し底壁３１の厚みは、弱化部２１の溝の長さ方向にわたって一定に形成されている。すなわち、底壁３１の外面は、内周面３２と同様にストレートに形成されている。
【００３４】
このため、図１および図６に詳細に示すように、溝構造の弱化部２１は、キャップの外方から見たときに下部から上部に向かうにつれて薄肉部２５ｂの表面における溝幅が徐々に狭くなる形状で形成されている。溝底部の底壁３１の表面における溝幅は、キャップの下部から上部にわたって一定である。かつ溝構造の弱化部２１は、図７に詳細に示すように、下部から上部に向かうにつれて徐々に溝深さが浅くなる形状で形成されている。図中、３０は、溝構造の弱化部２１の溝側面を示す。
【００３５】
スカート壁１２の下端部の内周には、テーパ面３７が形成されている。このテーパ面３７は、キャップ成形用の金型部材に位置合わせの機能を付与することの結果として形成されるものであるが、これによって、キャップを瓶１に被せるときにこのキャップと瓶１とを同心状に案内するという効果を発揮することも可能である。このテーパ面３７が形成された箇所では、その分だけ弱化部２１の肉厚が薄くなっており、特にスカート壁１２の下端面の部分でもっとも薄くなっている。
【００３６】
弱化部２１の下端には、この弱化部２１を構成する溝をある程度だけ埋めるように一体に形成された厚肉補強部３４が設けられている。すなわち、厚肉補強部３４では、溝底部の肉厚が弱化部における他の部分の底壁３１の肉厚よりも大きくなるように構成されている。３５は、厚肉補強部３４の外面である。外面３５が形成されている部分では、厚肉補強部３４は、一定の肉厚で形成されている。３６は傾斜面で、外面３５の上端と、この上端よりも上側の底壁３１の部分とを結ぶ形状で形成されている。つまり、厚肉補強部３４における傾斜面３６が形成されている部分では、上側に向かうにつれて徐々にその肉厚が小さくなるように構成されている。上述のテーパ面３７が形成された箇所においては、図７において「Ｂ」で表されているところの厚肉補強部３４の肉厚は、厚肉補強部３４が形成されている他の部分に比べて薄くなっている。
【００３７】
図面においては、厚肉補強部３４として、その縦断面が厚肉部２３の縦断面に倣った形状であるものが例示されている。しかし、上述のように厚肉部２３は必ずしも設けなくても良いものであり、厚肉補強部３４の縦断面の形状は、厚肉部２３の断面形状に対応させる必要はなく、任意に決めることができる。また厚肉補強部３４の各部の寸法は、本発明の技術思想の範囲内において適宜に変更することができる。
【００３８】
縦断面形状が厚肉部２３の縦断面形状に倣った形状となるように構成された厚肉補強部３４は、図７および図４において詳細に示すように、厚肉部２３よりは小振りとなるように形成されている。詳細には、上述の寸法例のキャップにおいては、スカート壁１２の薄肉部２５ｂの表面から厚肉部２３の外周面２４までの寸法すなわち厚肉部２３の突出高さは、０．３ｍｍ程度である。また、図７において「Ｂ」で表されるところの、厚肉補強部３４の表面３５からテーパ面３７の下端部までの寸法は、厚肉補強部３４が厚肉部２３よりもキャップの径方向に沿った外方へ突出しない範囲内で、底壁３１の厚み「Ａ」の２倍以上であることが好適である。具体的には、上述の例では、０．５〜０．７５ｍｍ程度が好適である。さらに、上述のようにスカート壁１２の下端から厚肉部２３の外周面２４の上端までの寸法が１．０ｍｍ程度であるときに、図７において「Ｃ」で表されるところの、厚肉補強部３４におけるスカート壁１２の下端面から傾斜面３６の始端部までの寸法、すなわちキャップの軸心方向に沿った厚肉補強部３４の外面３５の寸法は、１．０ｍｍ程度が好適である。図７において「Ｄ」で表される寸法、すなわち厚肉補強部３４におけるスカート壁１２の下端面から傾斜面３６の上端部までの寸法は、キャップの軸心方向に対する傾斜面３６の傾斜角度によって変化する。この傾斜角度は、厚肉部２３の傾斜面２６の傾斜角度と同等の、たとえば３０度とすることができる。
【００３９】
このような構成において、図９に示すように、瓶１にキャップを被せるときには、テーパ面３７の作用によってキャップが瓶１に心合わせされる。その状態でキャップに瓶１に向かう方向の押圧力を作用させると、突起１５（１５ａ、１５ｂ、１５ｃ）が瓶１の上端の周縁に接する。その状態でさらに押圧力を作用させると、スカート壁１２における下部すなわち突起１５（１５ａ、１５ｂ、１５ｃ）が形成された部分が弾性的に拡径する。このとき、スカート壁１２の下部は突起１５（１５ａ、１５ｂ、１５ｃ）や厚肉部２３が形成されているが、それに対応して薄肉部２５（２５ａ、２５ｂ、２５ｃ）が形成されているため、必要な弾性変形が許容される。
【００４０】
そして、このようにスカート壁１２の裾の部分が拡径方向に弾性変形するときには、弱化部２１にも相応の応力が作用するが、この弱化部２１に厚肉補強部３４が形成されていることから、スカート壁１２の周方向に沿った弱化部３４の伸びが少なく抑えられる。このため、弱化部２１が破断したり、弱化部２１に亀裂が生じたりすることを確実に防止できる。すなわち、弱化部２１の底壁３１および厚肉補強部３４に破断や亀裂が生じない健全な状態で、キャップを瓶１に装着することができる。弱化部２１は、スカート壁１２における他の部分よりも薄肉に形成されているため、応力が集中しやすい。しかし、スカート壁１２の周方向に沿って弱化部２１を間に挟んだ一対の小突起１５ｂは、大突起１５ａや異形突起１５ｃの部分１５ｄよりも横断面が小さい形状で形成されているため、それよりも横断面の大きな突起に比べて弾性変形しやすく、このため弱化部２１への応力集中を緩和することができる。キャップの装着が完了すると、図５に示される状態となる。
【００４１】
この図５に示される装着完了状態においては、上述のように弱化部２１に破断や亀裂が生じていないことから、所要の密封状態を維持することができる。かつ、スカート壁１２の裾には厚肉部２３や突起１５（１５ａ、１５ｂ、１５ｃ）が形成されているため、この裾の部分に不要な変形が生じて密封状態が阻害されることを確実に防止できる。
【００４２】
キャップを開封するときには、図１０に示すように、手指などによってつば部１８に上向きの大きな力を作用させる。すると、スカート壁１２における突起１５（１５ａ、１５ｂ、１５ｃ）が設けられていない箇所において薄肉に形成された弱化部２１に応力が集中し、厚肉補強部３４がスカート壁１２の周方向に大きく広がるとともに、弱化部２１におけるそれ以外の部分も広がるので、弱化部２１が破断する。すなわち、つば部１８とは反対側において突起１５ａが瓶１の段部３に掛かり合っていることから、図１０において仮想線で示すように、キャップは、弱化部２１の上端を中心として屈曲するように変形し、これにより厚肉補強部３４を含む弱化部２１が破断して、キャップを容易に開封することができる。なお、上述のように、一対の弱化部２１、２１は、開封用つば部１８の中心部２０からキャップの周方向に沿って時計方向および反時計方向に９０度の距離をおいた位置に設けられており、この位置が最良であるが、９０度以内であって開封用つば部１８が形成されている部分を除く範囲に設けることもできる。
【００４３】
つまり、上述のキャップによれば、このキャップを瓶に被せるときに破断などが生じることを確実に防止でき、しかも密封時には従来のキャップと変わらない高密封性を維持することができ、さらに開封時には従来のキャップと同等の開封容易性を確保することができる。
【実施例】
【００４４】
上述のようにキャップをポリエチレンにて形成し、各部の寸法を上記のように設定した場合において、開封時に小さな力で弱化部２１を破断させるためには、底壁３１の厚み、すなわち図７に示される「Ａ」の寸法は、０．２〜０．３ｍｍが好ましい範囲であった。瓶１への装着時に弱化部２１の厚肉補強部３４の伸びを少なくして、装着時における破断や亀裂の発生を確実に防止するためには、この厚肉補強部３４の厚み、すなわち図７に示される「Ｂ」の寸法は、０．５ｍｍ以上であることが好ましかった。
【００４５】
仮に弱化部２１の底壁３１に亀裂が生じても、厚肉補強部３４に破断などが発生せず、かつ厚肉補強部３４に生じるキャップの周方向の伸びを少なくすることができれば、弱化部２１の破断を防止して、キャップ装着時の正常な密封状態を維持することができる。このためには、上述の材料、寸法の条件のもとで、キャップの軸心方向に沿った厚肉補強部３４の高さ、すなわち図７に示される「Ｃ」「Ｄ」の寸法は、いずれも１ｍｍ以上であることが好適であった。
【００４６】
上述のサイズのキャップの材質として、低密度ポリエチレンと高密度ポリエチレンとを質量比で９：１に混合したものを用いた。そして、図７に示される「Ａ」を０．２０ｍｍ、「Ｂ」を０．２０ｍｍ、「Ｃ」を０．２０ｍｍ、「Ｄ」を０．９５ｍｍとした。すなわち、厚肉補強部３４を形成しなかった。つまり、厚肉補強部３４が形成されるべき部分の厚みを底壁３１の厚みと同じにした。この場合に、常温の条件および摂氏５度の条件で瓶１にキャップを被せた。そうしたところ、常温、摂氏５度のいずれの場合においても弱化部２１に破断が生じた。つまり、この場合は弱化部２１が強度不足で、所要の性能を発揮することができなかった。詳細には、キャップを瓶１に被せるときに、弱化部２１の下端の底壁３１がスカート壁１２の周方向に伸ばされて大きく広がり、続いてそれよりも上側の部分の底壁３１も大きく広がって亀裂が生じた。そして、この上側で発生した亀裂が下端側まで伝播して、弱化部２１が破断した。
【００４７】
これに対し、同じ材料で「Ａ」を０．２５ｍｍ、「Ｂ」を０．３０ｍｍに変えた場合は、すなわち厚肉補強部３４をわずかに形成した場合は、常温では破断が発生せず、摂氏５度のときのみ破断が生じた。よって、この場合もまだ厚肉補強部３４の強度は十分といえるものではなかった。
【００４８】
さらに、同じ材料で、「Ａ」を０．２５ｍｍ、「Ｂ」を０．５８ｍｍ、「Ｃ」を１．００ｍｍ、「Ｄ」を１．９０ｍｍに変えた場合は、すなわち厚肉補強部３４を好ましいサイズで形成した場合は、常温と摂氏５度のいずれにおいても破断は生じなかった。
【００４９】
この実験から、弱化部における底壁３１の厚みと厚肉補強部３４の各部の寸法とを適宜に設定することで、摂氏５度という低温の条件でキャップを瓶１に被せても、弱化部における破断の発生を効果的に防止できることが確認された。
【符号の説明】
【００５０】
１１    頂壁
１２    スカート壁
１５    突起
１８    つば部
２１    弱化部
３１    底壁
３４    厚肉補強部
３５    外面
３６    傾斜面
【図１】
2014223933.tif 000003
【図２】
2014223933.tif 000004
【図３】
2014223933.tif 000005
【図４】
2014223933.tif 000006
【図５】
2014223933.tif 000007
【図６】
2014223933.tif 000008
【図７】
2014223933.tif 000009
【図８】
2014223933.tif 000010
【図９】
2014223933.tif 000011
【図１０】
2014223933.tif 000012